(57)【要約】【課題】依頼者の希望に沿った精度の高い、車両の走行状況データを収集することが可能な車両の走行状況データ収集システム及び制御装置を提供する。【解決手段】車両の走行状況データ収集システムであって、依頼者により設定された、走行状況データ収集の依頼の内容を含む、少なくとも一つの依頼データが記憶されたサーバと、車両の前記走行状況データを取得する情報処理装置と、を有し、前記サーバは、少なくとも一つの前記依頼データを前記情報処理装置へ送信し、前記情報処理装置は、受託者の受託条件に適合する前記依頼データに基づいて前記走行状況データを取得し、かつ取得した前記走行状況データを前記サーバへ送信する、車両の走行状況データ収集システム。【選択図】図１
2020160673.tif 000002
【特許請求の範囲】
【請求項１】
車両の走行状況データ収集システムであって、
依頼者により設定された、走行状況データ収集の依頼の内容を含む、少なくとも一つの依頼データが記憶されたサーバと、
車両の前記走行状況データを取得する情報処理装置と、を有し、
前記サーバは、少なくとも一つの前記依頼データを前記情報処理装置へ送信し、
前記情報処理装置は、受託者の受託条件に適合する前記依頼データに基づいて前記走行状況データを取得し、かつ取得した前記走行状況データを前記サーバへ送信する、車両の走行状況データ収集システム。
【請求項２】
前記サーバは、複数の前記依頼データを前記情報処理装置へ送信し、
前記情報処理装置は、前記受託条件としての前記受託者の依頼の選択結果に適合する依頼データに基づいて前記走行状況データを取得する、請求項１に記載の車両の走行状況データ収集システム。
【請求項３】
前記サーバは、前記情報処理装置から送信された前記受託条件に基づいて、前記情報処理装置に送信する、送信対象となる依頼データを選択し、前記送信対象となる依頼データを前記情報処理装置に送信する、請求項１に記載の車両の走行状況データ収集システム。
【請求項４】
前記受託条件は、前記依頼の実行に伴う実行時間、または前記依頼の実行に伴う身体的影響の少なくともいずれか一方に関する、前記受託者の許容度を含む、請求項３に記載の車両の走行状況データ収集システム。
【請求項５】
前記受託条件は、前記車両の現在地または目的地を含む、請求項３に記載の車両の走行状況データ収集システム。
【請求項６】
前記車両は、自動運転機能を有し、
前記受託条件は、前記受託者により設定された前記自動運転機能の作動時における自動走行条件を含む、請求項３に記載の車両の走行状況データ収集システム。
【請求項７】
前記受託条件は、前記車両の運転者の属性を含む、請求項３に記載の車両の走行状況データ収集システム。
【請求項８】
前記サーバは、前記送信対象となる依頼データに基づいて、前記車両の走行経路を示す走行経路データを算出する、請求項１〜７のいずれか一項に記載の車両の走行状況データ収集システム。
【請求項９】
前記サーバは、前記送信対象となる依頼データを前記情報処理装置へ送信する際に、前記走行経路データを送信する、請求項８に記載の車両の走行状況データ収集システム。
【請求項１０】
前記情報処理装置は、受信した前記依頼データに基づいて、前記車両の走行経路を示す走行経路データを算出する、請求項１〜７のいずれか一項に記載の車両の走行状況データ収集システム。
【請求項１１】
前記依頼データには、前記依頼に対する報酬の情報を含む、請求項１〜１０のいずれか一項に記載の車両の走行状況データ収集システム。
【請求項１２】
前記サーバは、前記走行状況データを依頼者側情報処理装置へ送信し、
前記サーバまたは依頼者側情報処理装置は、受信した前記走行状況データに応じて、前記情報処理装置に対して前記報酬に関する報酬データを送信する、請求項１１に記載の車両の走行状況データ収集システム。
【請求項１３】
依頼者により設定された、車両の走行状況データ収集の依頼の内容を含む、少なくとも一つの依頼データが記憶されるとともに少なくとも一つの依頼データを車両の情報処理装置へ送信するサーバと、送信される前記依頼データに基づいて車両の走行状況データを取得して前記サーバに送信する前記情報処理装置と、を含む車両の走行状況データ収集システムに利用される前記情報処理装置であって、
車両の走行状況データを取得するデータ取得部と、
前記車両の外部と通信する通信部と、を有し、
前記通信部は、前記依頼データを受信し、
前記データ取得部は、受託者の受託条件に適合する前記依頼データに基づいて前記走行状況データを取得し、
前記通信部は、前記データ取得部が取得した前記走行状況データを送信する、情報処理装置。
【発明の詳細な説明】
【技術分野】
【０００１】
本発明は、車両の走行状況データ収集システム及び情報処理装置に関する。
【背景技術】
【０００２】
近年、様々な条件下での車両の走行状況に関するデータを収集することが求められている。例えば、下記特許文献１には、新車の購入に際して、販売済みの車両の走行状況に関するデータを収集、提供するサーバを含むデータ収集システムに関する技術が記載されている。
【先行技術文献】
【特許文献】
【０００３】
【特許文献１】特開２００５−４４０５８号公報
【発明の概要】
【発明が解決しようとする課題】
【０００４】
しかし、上記特許文献１に記載の技術では、データを収集する立場（受託者）の、依頼を受託する際の条件（受託条件）は考慮されず、データ収集を依頼する立場（依頼者）の希望に沿ったデータが収集されにくいという問題があった。
【０００５】
そこで、本発明は、上記問題に鑑みてなされたものであり、本発明の目的とするところは、依頼者の希望に沿った車両の走行状況データを収集する確実性を向上可能な、新規かつ改良された車両の走行状況データ収集システム及び制御装置を提供することにある。
【課題を解決するための手段】
【０００６】
上記課題を解決するために、本発明のある観点によれば、車両の走行状況データ収集システムであって、依頼者により設定された、走行状況データ収集の依頼の内容を含む、少なくとも一つの依頼データが記憶されたサーバと、車両の上記走行状況データを取得する情報処理装置と、を有し、上記サーバは、少なくとも一つの上記依頼データを上記情報処理装置へ送信し、上記情報処理装置は、受託者の受託条件に適合する上記依頼データに基づいて上記走行状況データを取得し、かつ取得した上記走行状況データを上記サーバへ送信する、車両の走行状況データ収集システムが提供される。
【０００７】
上記サーバは、複数の上記依頼データを上記情報処理装置へ送信し、上記情報処理装置は、上記受託条件としての上記受託者の依頼の選択結果に適合する依頼データに基づいて上記走行状況データを取得してもよい。
【０００８】
上記サーバは、上記情報処理装置から送信された上記受託条件に基づいて、上記情報処理装置に送信する、送信対象となる依頼データを選択し、上記送信対象となる依頼データを上記情報処理装置に送信してもよい。
【０００９】
上記受託条件は、上記依頼の実行に伴う実行時間、または上記依頼の実行に伴う身体的影響の少なくともいずれか一方に関する、上記受託者の許容度を含んでもよい。
【００１０】
上記受託条件は、上記車両の現在地または目的地を含んでもよい。
【００１１】
上記車両は、自動運転機能を有し、上記受託条件は、上記受託者により設定された上記自動運転機能の作動時における自動走行条件を含んでもよい。
【００１２】
上記受託条件は、上記車両の運転者の属性を含んでもよい。
【００１３】
上記サーバは、上記送信対象となる依頼データに基づいて、上記車両の走行経路を示す走行経路データを算出してもよい。
【００１４】
上記サーバは、上記送信対象となる依頼データを上記情報処理装置へ送信する際に、上記走行経路データを送信してもよい。
【００１５】
上記情報処理装置は、受信した上記依頼データに基づいて、上記車両の走行経路を示す走行経路データを算出してもよい。
【００１６】
上記依頼データには、上記依頼に対する報酬の情報を含んでもよい。
【００１７】
上記サーバは、上記走行状況データを依頼者側情報処理装置へ送信し、上記サーバまたは依頼者側情報処理装置は、受信した上記走行状況データに応じて、上記情報処理装置に対して上記報酬に関する報酬データを送信してもよい。
【００１８】
また、上記課題を解決するために、本発明の別の観点によれば、依頼者により設定された、車両の走行状況データ収集の依頼の内容を含む、少なくとも一つの依頼データが記憶されるとともに少なくとも一つの依頼データを車両の情報処理装置へ送信するサーバと、送信される上記依頼データに基づいて車両の走行状況データを取得して上記サーバに送信する上記情報処理装置と、を含む車両の走行状況データ収集システムに利用される上記情報処理装置であって、車両の走行状況データを取得するデータ取得部と、上記車両の外部と通信する通信部と、を有し、上記通信部は、上記依頼データを受信し、上記データ取得部は、受託者の受託条件に適合する上記依頼データに基づいて上記走行状況データを取得し、上記通信部は、上記データ取得部が取得した上記走行状況データを送信する、情報処理装置が提供される。
【発明の効果】
【００１９】
以上説明したように本発明によれば、依頼者の希望に沿った車両の走行状況データを収集する確実性を向上可能な車両の走行状況データ収集システム及び制御装置が提供される。
【図面の簡単な説明】
【００２０】
【図１】本発明の第１の実施形態に係るネットワーク構成例を示す図である。
【図２】同実施形態に係る制御装置のブロック構成例を示す図である。
【図３】同実施形態に係る走行状況データ収集システムの動作例を示すシーケンス図である。
【図４】同実施形態に係る走行状況データ収集システムの一の変形例を示すシーケンス図である。
【図５】同実施形態に係る他の変形例における走行経路の選択について説明する図である。
【図６】本発明の第２の実施形態に係る走行状況データ収集システムの動作例を示すシーケンス図である。
【図７】本発明の第３の実施形態に係る走行状況データ収集システムの動作例を示すシーケンス図である。
【図８Ａ】本発明の第４の実施形態に係る走行状況データ収集システムの動作例を示すシーケンス図である。
【図８Ｂ】同実施形態に係る走行状況データ収集システムの動作例を示すシーケンス図である。
【図９Ａ】本発明の第５の実施形態に係る走行状況データ収集システムの動作例を示すシーケンス図である。
【図９Ｂ】同実施形態に係る走行状況データ収集システムの動作例を示すシーケンス図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜１．第１の実施形態＞
［１．１．車両の走行状況データ収集システムの概要］
まず、図１を参照して、本発明の第１の実施形態に係る車両の走行状況データ収集システム１００の概要について説明する。図１は、本発明の第１の実施形態に係るネットワーク構成例を示す図である。本実施形態に係る車両の走行状況データ収集システム１００は、車両の走行状況データを収集するためのシステムである（なお、以下の説明において、車両の走行状況データ収集システムを、単に「データ収集システム」と称することがある）。図１に示すように、本実施形態に係るデータ収集システム１００では、走行状況データの収集を依頼する立場（依頼者１０１）からのデータ収集の依頼が、サーバ１０３を介して当該依頼を受託する立場（受託者１０５）へ伝達される。さらに、受託者１０５による当該依頼が達成された結果が走行状況データとして収集される。
【００２３】
より具体的には、データ収集システム１００において、依頼者１０１が設定したデータ収集の依頼の内容を含む依頼データは、サーバ１０３に記憶される。例えば、依頼者１０１ａ、依頼者１０１ｂ、および依頼者１０１ｃから、それぞれ依頼Ａ、依頼Ｂ、および依頼Ｃがなされると、サーバ１０３には依頼データＡ、依頼データＢ、および依頼データＣを含む依頼データ（依頼データ群）が記憶される。サーバ１０３は、記憶された依頼データの中から少なくとも一つの依頼データを、受託者１０５側の情報処理装置２００へ送信する。受託者１０５は、情報処理装置２００が受信した依頼データから依頼の内容を確認し、受託者１０５の受託条件に適合する依頼を受託、実行する。依頼の実行結果としての走行状況データは、情報処理装置２００からサーバ１０３へ送信される。サーバ１０３は、収集された走行状況データを依頼者側情報処理装置１０９へと送信する。
【００２４】
依頼者１０１は、個人に限定されるものではなく、企業、自治体、公共機関その他の団体も含まれる。また、受託者１０５は、車両１０７の乗員または所有者である。
【００２５】
走行状況データには、車両１０７自体の状態、車両１０７の有する機能、装備の状態、および、天気や路面状況等の車両１０７の周辺の環境等、車両１０７の走行に関する種々の情報が含まれる。
【００２６】
依頼の内容としては、走行状況データの収集に関するものであればよく、特に限定されない。例えば、依頼者１０１が、道路管理会社である場合、特定の道路の路面状況や天気等の情報に関する走行状況データの収集の依頼がなされる。また、依頼者１０１が、自動車メーカである場合、販売後の自動車およびその装備が、ユーザによってどのように使用されているか等の走行状況データの収集の依頼がなされる。その他、依頼者１０１が旅行を計画している、または旅行中である場合、行き先の天気、風景、目的地までの到達時間、渋滞状況等の走行状況データの収集の依頼がなされる。
【００２７】
［１．２．ネットワーク構成例］
引き続き、図１を参照しながら、本実施形態に係る車両の走行状況データ収集システム１００のネットワーク構成例について説明する。図１に示すように、データ収集システム１００は、サーバ１０３と、車両１０７において走行状況データを取得する情報処理装置２００と、を含んで構成される。また、データ収集システム１００は、依頼者側情報処理装置１０９を含んでもよい。
【００２８】
サーバ１０３は、依頼者１０１により設定された、走行状況データ収集の依頼の内容を含む、少なくとも一つの依頼データを記憶する機能を有する。また、サーバ１０３は、少なくとも一つの依頼データを情報処理装置２００へ送信する機能を有する。また、サーバ１０３は、情報処理装置２００から送信された走行状況データを依頼者側情報処理装置１０９へ送信する機能を有してもよい。
【００２９】
情報処理装置２００は、ネットワーク１１１ａを介してサーバ１０３と通信可能に接続されている。情報処理装置２００は、受託者１０５の受託条件に適合する依頼データに基づいて走行状況データを取得し、走行状況データをサーバ１０３へ送信する機能を有する。本実施形態において、受託条件は、サーバ１０３から送信された複数の依頼データの中から受託者１０５が選択した依頼データの選択結果である。情報処理装置２００についての詳細は後述する。
【００３０】
依頼者側情報処理装置１０９は、ネットワーク１１１ｂを介してサーバ１０３と通信可能に接続されている。依頼者１０１は、依頼者側情報処理装置１０９を利用して、走行状況データの収集の依頼に関する設定をすることができる。依頼者側情報処理装置１０９は、ネットワーク１１１ｂを介して、依頼データをサーバ１０３へ送信する機能を有する。依頼者側情報処理装置１０９は、サーバ１０３との通信および依頼データの入力受付が可能な装置であればよく、特に限定されない。依頼者側情報処理装置１０９として、例えば、図１に示すように、スマートフォン１０９ａ、パーソナルコンピュータ１０９ｂ、車載制御装置１０９ｃ等が挙げられる。
【００３１】
［１．３．情報処理装置の構成例］
次に、図２を参照して、本実施形態に係る情報処理装置２００の構成例について説明する。図２は、本実施形態に係る情報処理装置２００のブロック構成例を示す図である。情報処理装置２００は、制御部２１０と、通信部２２０とを有する。
【００３２】
制御部２１０は、走行状況データを取得するために必要なセンサ群３１０の制御、取得した走行状況データの記録、通信部２２０への出力等の各種機能を発揮するために必要な制御を行う。
【００３３】
通信部２２０は、ネットワーク１１１ａを介して情報処理装置２００の外部と通信する機能を有する。
【００３４】
情報処理装置２００の一例としては、車載制御装置が挙げられる。また、制御部２１０の機能は、一例として、車載制御装置に搭載されたＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等の協働により実現される。また、通信部２２０としての機能は、一例として、無線通信用インタフェースにより実現される。
【００３５】
制御部２１０は、データ取得部２１１と、データ記録部２１３とを有する。データ取得部２１１は、データ計測装置３１１および車両位置計測装置３１３から出力される各種データを取得する機能を有する。また、データ記録部２１３は、データ取得部２１１が取得した各種データを一時的または永続的に記憶しておく機能を有する。
【００３６】
データ計測装置３１１は、センサ群３１０から取得されるセンサ信号に基づいて車両１０７の走行状況に関する情報を検出する。センサ群３１０は、走行状況データとしての各種データを取得するための複数のセンサである。例えば、センサ群３１０は、車輪速センサ、車速センサ、加速度センサ、角速度センサ、温度センサ、湿度センサ、雨滴センサ、照度センサ、荷重センサ、操舵角センサ、集音センサ（マイク）、振動センサ、撮像カメラ、レーダ又は超音波センサのうちの少なくともいずれかを含む。データ計測装置３１１は、例えば、車両１０７の速度、加速度、角加速度、路面の粗さの推定値、周辺の気温、湿度等を計測する。また、データ計測装置３１１は、車両１０７の周辺の静止画、動画の撮影、または音声を検出する。
【００３７】
車両位置計測装置３１３は、車両１０７の現在位置計測を行う。車両位置計測装置３１３の例としては、ＧＰＳ（Ｇｌｏｂａｌ  Ｐｏｓｉｔｉｏｎｉｎｇ  Ｓｙｓｔｅｍ）アンテナが挙げられる。
【００３８】
出力装置３２０は、制御部２１０の処理結果等を出力する機能を有する。出力装置３２０の一例としては、表示パネル、ヘッドアップディスプレイ、スピーカ等である。また、入力装置３３０は、情報処理装置２００の利用者からの入力を受け付ける機能を有する。入力装置３３０の一例としては、ボタン、タッチ入力式の画面、マイク等である。
【００３９】
なお、情報処理装置２００は、車両１０７の走行状況データを取得できればよく、車載制御装置に限定されない。例えば、情報処理装置２００は、車両１０７の各種センサ又は制御装置と通信可能なスマートフォン、タブレット型コンピュータ等であってもよい。この場合、出力装置３２０および入力装置３３０は、情報処理装置２００と一体となっていてもよい。また、センサ群３１０の内の一部または全部として、スマートフォン等に搭載された各種センサ、機能が使用されてもよい。
【００４０】
［１．４．データ収集システムの動作例］
次に、図３を参照して、本実施形態に係る車両の走行状況データ収集システム１００の動作例について説明する。図３は、本実施形態に係る車両の走行状況データ収集システム１００の動作例を示すシーケンス図である。図３に示すように、まず依頼者１０１は、依頼者側情報処理装置１０９を利用して、依頼データをサーバ１０３に送信する（Ｓ１０１）。サーバ１０３は、依頼者側情報処理装置１０９から受信した依頼データを記憶する（Ｓ１０３）。次に、受託者１０５は、情報処理装置２００を介してサーバ１０３にアクセスし、サーバ１０３に記憶された依頼データの情報を参照する（Ｓ１０５）。情報処理装置２００からのアクセスに応じて、サーバ１０３は、依頼データの情報を情報処理装置２００へ送信する（Ｓ１０７）。
【００４１】
受託者１０５は、情報処理装置２００を介して依頼データを参照し、受託を希望する依頼データを選択する。情報処理装置２００は、受託者１０５がいずれかの依頼データを選択したか否かにより、受託者１０５に受託の意思があるか否かについて判定する（Ｓ１０９）。特に、情報処理装置２００が複数の依頼データを受信した場合、複数の依頼データの内のいずれかまたは全部について受託者１０５に受託の意思があるか否かを判定する。ステップＳ１０９において、受託の意思があると判定された場合、依頼は受託される（Ｓ１１１）。一方、ステップＳ１０９において、受託の意思があると判定されなかった場合、本実施形態に係る処理は終了する。
【００４２】
ステップＳ１１１で依頼が受託された後、情報処理装置２００は、走行状況データの取得を開始する（Ｓ１１３）。具体的には、情報処理装置２００のデータ取得部２１１は、データ計測装置３１１又は車両位置計測装置３１３から出力された、依頼の達成に必要な情報を取得する。また、情報処理装置２００は、依頼内容に応じて、運転者に対して情報（指定された運転方法、経路等）を音声、画像等で出力する。続いて、情報処理装置２００は、依頼データの依頼の内容が達成されたか否かを判定する（Ｓ１１５）。ステップＳ１１５において、依頼が達成されたと判定された場合、情報処理装置２００は、サーバ１０３へ走行状況データを送信する（Ｓ１１９）。複数の依頼を受託している場合、走行状況データは、依頼が達成されるごとにサーバ１０３へ送信されてもよいし、複数の依頼に関する走行状況データがまとめてサーバ１０３へ送信されてもよい。
【００４３】
一方、ステップＳ１１５において、依頼が達成されたと判定されない場合、受託者１０５に依頼続行の意思があるか否かが判定される（Ｓ１１７）。受託者１０５に依頼続行の意思がある場合、ステップＳ１１３の処理に戻って、走行状況データの取得が行われる。一方、ステップＳ１１７において、受託者１０５に依頼続行の意思があると判定されない場合、本実施形態に係る処理は終了する。以上、本実施形態に係る車両の走行状況データ収集システム１００の動作例について説明した。
【００４４】
なお、上記の例では、情報処理装置２００は、ステップＳ１１５において依頼が達成されたと判定された後、ステップＳ１１９においてサーバ１０３へ走行状況データを送信しているが、依頼の達成を待たずに、走行状況データが随時送信されてもよい。
【００４５】
本実施形態によれば、サーバ１０３が複数の依頼データを情報処理装置２００へ送信し、受託者１０５が複数の依頼データの中から適宜の依頼データを選択して当該依頼を実行する。これにより、受託者１０５の受託条件あるいは受託の意思が考慮された依頼データが選択され、依頼者１０１の希望に沿った走行状況データの収集が行われる。この結果、依頼者１０１の希望に沿った走行状況データが収集される確実性が向上する。
【００４６】
＜１．５．変形例１＞
次に、図４を参照して、本実施形態に係る車両の走行状況データ収集システム１００の変形例について説明する。図４は、本変形例に係る走行状況データ収集システム１００の動作例を示すシーケンス図である。本変形例において、依頼データには、依頼者１０１により設定された、依頼に対する報酬に関する情報が含まれる。さらに、受託者１０５が依頼を受託し、達成した場合、依頼者１０１から依頼に対する報酬が支払われる。なお、本変形例におけるその他の構成については、第１の実施形態と共通するので、説明は省略する。
【００４７】
図４に示すように、依頼者１０１は、依頼データをサーバ１０３に送信する際に、依頼の内容とともに、当該依頼に対する報酬に関する情報も設定し、依頼データを送信する（Ｓ１０１’）。その後の本変形例に係るステップＳ１０３〜Ｓ１１９の処理は、図３に記載のシーケンス図と同様な処理が行われる。
【００４８】
ステップＳ１１９において、情報処理装置２００からサーバ１０３へ走行状況データが送信された後、サーバ１０３は、依頼者側情報処理装置１０９へ走行状況データを送信する（Ｓ１２１）。依頼者１０１は、依頼の達成結果の情報を確認し、達成結果に応じた報酬を支払う（Ｓ１２３）。報酬の支払に関する処理は、依頼者側情報処理装置１０９から報酬に関する報酬データが情報処理装置２００へ送信されることで行われる。受託者１０５は、依頼に対する報酬の情報について確認する（Ｓ１２５）。
【００４９】
本変形例において、報酬は、依頼者１０１からではなく、サーバ１０３から自動的に支払われるようにしてもよい。この場合、報酬に関し、依頼者１０１へ別途請求が行われる。
【００５０】
また、報酬は、金銭、ポイント等の経済的な価値を有するものだけでなく、名誉または肯定的な評価もしくはコメント等の社会的な価値を有するものでもよい。また、報酬は、金銭だけでなく、役務の提供であってもよい。
【００５１】
また、報酬の支払に関する処理は、本実施形態に係るデータ収集システム１００とは、異なる情報処理システムにおいて行われてもよい。具体的には、電子通貨、仮想通貨、クレジットカード決済などを用いた電子的決済システムを用いて、依頼者１０１から受託者１０５へ報酬の支払処理が行われる。この場合、報酬に関する報酬データは、受託者１０５に対して送信されなくてもよいし、報酬データには報酬の支払に関する事前又は事後の通知のみが記載されてもよい。
【００５２】
本変形例によれば、依頼の達成により、受託者１０５に報酬が支払われるので、受託者１０５による依頼の受託に対するインセンティブが生じる。また、受託者１０５は、依頼を受託するか検討する際、報酬によって受託するか否かを判断することができる。このため、受託者１０５が積極的に依頼を受託し、依頼をよく達成するようになる。この結果、依頼者１０１の希望に沿った依頼が実行され、走行状況データが収集される確実性が向上する。
【００５３】
＜１．６．変形例２＞
次に、図５を参照して、本実施形態に係る車両の走行状況データ収集システム１００のその他の変形例について説明する。図５は、本実施形態に係る走行経路の選択について説明する図である。本変形例では、依頼データを受信した情報処理装置２００は、当該依頼データに基づいて車両の走行経路を示す走行経路データを算出する。なお、本変形例におけるその他の構成については、第１の実施形態と共通するので、説明は省略する。
【００５４】
具体的には、本変形例における、サーバ１０３から送信対象となる依頼データを情報処理装置２００へ送信する処理（図３のステップＳ１０７に相当）において、サーバ１０３は、依頼データを情報処理装置２００へ送信する。情報処理装置２００は、サーバ１０３から送信された依頼データを受信後、受信した依頼データの依頼の内容の情報を考慮し、効率的に依頼を達成するための１つまたは複数の走行経路データを算出する。
【００５５】
例えば、受託者１０５が、３件の依頼Ａ、依頼Ｂおよび依頼Ｃを受託した場合、情報処理装置２００は、依頼Ａ、依頼Ｂおよび依頼Ｃの依頼の内容等を考慮して、車両１０７の走行経路を算出する。このとき、図５に示すように、受託者１０５には、情報処理装置２００が算出した走行経路である、依頼達成経路１（点線）および依頼達成経路２（二点鎖線）が示される。さらに、このとき受託者１０５には、依頼達成経路ごとに、要する時間、走行距離、達成した場合に得られる報酬等の情報が併せて示される。受託者１０５は、これらの情報を基に走行経路を選択する。
【００５６】
本変形例によれば、情報処理装置２００は受信した依頼データに基づいて走行経路データを算出するので、受託者１０５は、より効率的に依頼を実行できる。この結果、依頼者１０１の希望に沿った依頼が実行され、走行状況データが収集される確実性が向上する。
【００５７】
なお、本変形例において、走行経路データが情報処理装置２００において算出される例を示したが、本変形例はこれに限定されない。例えば、サーバ１０３は、送信対象となる依頼データから走行経路を算出し、走行経路データを情報処理装置２００へ送信してもよい。特に、サーバ１０３は、情報処理装置２００に依頼データを送信する際に、走行経路データを合わせて送信するようにしてもよい。
【００５８】
これにより、情報処理装置２００に不要な負担をかけることなく、走行経路データが算出され、走行経路が受託者１０５に示される。また、依頼データとともに走行経路データがサーバ１０３から送信されるので、受託者１０５は、依頼データ受信の後、すぐに走行経路の確認ができ、走行経路も考慮しつつ受託する依頼を選択できるとともに迅速な依頼の開始が実現される。
【００５９】
＜２．第２の実施形態＞
次に、図６を参照して、第２の実施形態に係る車両の走行状況データ収集システム１００の動作例について説明する。図６は、本実施形態に係る車両の走行状況データ収集システム１００の動作例を示すシーケンス図である。本実施形態に係る車両の走行状況データ収集システム１００は、受託者１０５の受託条件に、受託者１０５の依頼に対する許容度が含まれる点で第１の実施形態と相違する。なお、本実施形態に係るデータ収集システム１００の内、第１の実施形態と共通する部分については、説明を省略する。
【００６０】
図６に示すように、まず依頼者１０１は、依頼者側情報処理装置１０９を利用して、依頼データをサーバ１０３に送信する（Ｓ２０１）。サーバ１０３は、依頼者側情報処理装置１０９から受信した依頼データを記憶する（Ｓ２０３）。次に、受託者１０５は、情報処理装置２００を利用して依頼に対する許容度を設定する。具体的には、受託者１０５は、依頼について、どのような内容、条件の依頼までを許容するか等の情報を定性的または定量的に、情報処理装置２００へ入力する。
【００６１】
ここで、受託者１０５の依頼に対する許容度には、依頼に伴う実行時間、現在地からの距離、依頼に伴う身体的影響（疲労の度合い、感情の変化）等の依頼内容に関する条件または制限が含まれる。例えば、現在地からの距離に関し、許容度の低い例（受託者１０５が依頼を受託する範囲が狭い例）としては、車両１０７の現在地から１０ｋｍ圏内で実行可能な依頼に限定すること、または特定の地域（市区町村）内で実行可能な依頼に限定すること等が挙げられる。また、身体的影響に関し、許容度の低い例（受託者１０５への身体的影響が少ない例）としては、未舗装道路もしくは幅員の狭い道路の走行をしない依頼に限定すること、または高速道路の走行をしない依頼に限定すること等が挙げられる。
【００６２】
情報処理装置２００は、受託者１０５の依頼に対する許容度の情報をサーバ１０３に送信する（Ｓ２０５）。サーバ１０３は、情報処理装置２００から提供された情報である、受託者１０５の依頼に対する許容度に基づいて、当該許容度に適合する依頼データを、送信対象となる依頼データとして選択し（Ｓ２０７）、情報処理装置２００へ依頼データを送信する（Ｓ２０９）。
【００６３】
依頼データを受信した情報処理装置２００は、当該依頼データに基づいて車両の走行経路を示す走行経路データを算出する（Ｓ２１１）。なお、走行経路データの算出は、サーバ１０３において行われてもよい。この際、サーバ１０３は依頼データの送信とともに、走行経路データも併せて送信してもよい。
【００６４】
本実施形態に係るステップＳ２１３以降の処理は、図３のステップＳ１０９以降の処理と同様であるので説明を省略する。以上、本実施形態に係る車両の走行状況データ収集システム１００の動作例について説明した。
【００６５】
本実施形態によれば、受託者１０５の受託条件は、受託者１０５の依頼に対する許容度を含む。これにより、受託者１０５は、依頼の選択に労力や時間を要せずに、自らの希望や条件に沿った依頼を受託することが可能になる。この結果、依頼者１０１の希望に沿った走行状況データが収集される確実性が向上する。
【００６６】
＜３．第３の実施形態＞
次に、図７を参照して、第３の実施形態に係る車両の走行状況データ収集システム１００の動作例について説明する。図７は、本実施形態に係る車両の走行状況データ収集システム１００の動作例を示すシーケンス図である。本実施形態に係る車両の走行状況データ収集システム１００は、受託者１０５の受託条件情報に、車両１０７の現在地または目的地が含まれる点で他の実施形態と相違する。なお、本実施形態に係るデータ収集システム１００の内、他の実施形態と共通する部分については、説明を省略する。
【００６７】
図７に示すように、まず依頼者１０１は、依頼者側情報処理装置１０９を利用して、依頼データをサーバ１０３に送信する（Ｓ３０１）。サーバ１０３は、依頼者側情報処理装置１０９から受信した依頼データを記憶する（Ｓ３０３）。続いて、情報処理装置２００は、車両１０７の現在地または目的地の情報をサーバ１０３へ送信する（Ｓ３０５）。具体的には、受託者１０５は、情報処理装置２００を利用して車両１０７の目的地の情報を設定する。また、情報処理装置２００は、車両位置計測装置３１３の計測結果に基づいて車両１０７の現在地を取得する。情報処理装置２００は、これらの現在地または目的地の情報をサーバ１０３へ送信する。
【００６８】
サーバ１０３は、情報処理装置２００から提供された情報である、現在地または目的地の情報に基づいて依頼データを選択する（Ｓ３０７）。例えば、サーバ１０３は、現在地または目的地の情報から、受託者１０５が移動中に達成可能な依頼を選択する。また、サーバ１０３は、現在地と目的地の間の走行距離、走行時間等の情報を算出し、それらに該当する条件、内容の依頼データを選択する。その後、サーバ１０３は、情報処理装置２００へ送信対象となる依頼データを送信する（Ｓ３０９）。
【００６９】
本実施形態に係るステップＳ３１１以降の処理は、図４のステップＳ２１１以降の処理と同様であるので、説明を省略する。以上、本実施形態に係る車両の走行状況データ収集システム１００の動作例について説明した。
【００７０】
本実施形態によれば、受託者１０５の受託条件は、車両１０７の現在地または目的地の情報を含む。これにより、受託者１０５は、依頼の選択に労力や時間を要せずに、自らの希望や条件に沿った依頼を受託することが可能になる。この結果、依頼者１０１の希望に沿った走行状況データが収集される確実性が向上する。
【００７１】
＜４．第４の実施形態＞
次に、図８Ａ、図８Ｂを参照して、第４の実施形態に係る車両の走行状況データ収集システム１００の動作例について説明する。図８Ａおよび図８Ｂは、本施形態に係る車両の走行状況データ収集システム１００の動作例を示すシーケンス図である。本実施形態に係る車両の走行状況データ収集システム１００は、車両１０７が自動運転機能を有し、受託者１０５の受託条件に、受託者１０５により設定された自動走行条件が含まれる点で、他の実施形態と相違する。なお、本実施形態に係るデータ収集システム１００の内、他の実施形態と共通する部分については、説明を省略する。
【００７２】
図８Ａに示すように、まず依頼者１０１は、依頼者側情報処理装置１０９を利用して、依頼データをサーバ１０３に送信する（Ｓ４０１）。サーバ１０３は、依頼者側情報処理装置１０９から受信した依頼データを記憶する（Ｓ４０３）。続いて、受託者１０５は、自動運転機能が作動している時の自動走行条件を設定する（Ｓ４０５）。自動走行条件には、依頼を受託した場合の迂回に要する時間、前後、上下もしくは左右の加速度の最大値、走行に伴う車両１０７における汚損の発生、またはエネルギー消費効率（燃費、電費）に対する許容度合い（閾値）が含まれる。また、自動走行条件には、目的地または走行経路の少なくとも一方が含まれる。さらに、車両１０７が無人で依頼達成のため走行する場合、自動走行条件には、車両１０７の使用予定が含まれてもよい。
【００７３】
情報処理装置２００は、設定された車両１０７の自動走行条件をサーバ１０３へ送信する（Ｓ４０７）。自動走行条件データがサーバ１０３に送信された後、サーバ１０３は、かかる自動走行条件と適合する依頼データの有無を確認する（Ｓ４０９）。
【００７４】
ステップＳ４０９における適合の判定に際し、例えば、自動走行条件が迂回に要する時間に関する場合、次のような条件式（１）を用いて適合を判定してもよい。
Ｔ２≦Ｔ０＋Ｔ１    ・・・（１）
ここで、
Ｔ０：依頼を受託しない場合の目的地までの所要時間
Ｔ１：許容できる迂回時間
Ｔ２：依頼を受託した場合の目的地までの所要時間
である。
【００７５】
上記条件式（１）が満たされる場合、サーバ１０３は、依頼データと自動走行条件とが適合すると判定する。なお、自動走行条件が速度、加速度、もしくは角加速度、走行による汚損の発生、またはエネルギー消費量等に関する場合も上記式（１）と同様な条件式を用いて、自動走行条件と依頼データの適合が判定される。
【００７６】
特に、加速度に関する自動走行条件の場合、左右加速度の発生を予測するため、予定走行経路から旋回半径と車速から左右加速度が算出され、条件式において用いられてもよい。さらに、上下加速度の発生を予測するため、過去の走行実績から上下加速度が算出され、条件式において用いられてもよい。
【００７７】
ステップＳ４０９における適合確認処理の結果に基づいて、自動走行条件と適合す依頼データが存在するか否かが判定される（Ｓ４１１）。自動走行条件と適合する依頼データが存在すると判定されない場合、処理は終了する。一方、自動走行条件と適合する依頼データが存在すると判定された場合、サーバ１０３は、変更後の走行経路を算出するとともに、自動走行条件に適合する依頼データと変更後の走行経路データを、情報処理装置２００へ送信する（Ｓ４１３）。
【００７８】
受託者１０５は、走行経路、依頼の内容の情報について確認する（Ｓ４１５）。情報処理装置２００は、受託者１０５が当該依頼データの依頼の内容について受託の意思があるか否かについて判定する（Ｓ４１７）。例えば、情報処理装置２００は、受託者１０５により受託操作が行われたか否かにより、受託者１０５の受託の意思を判定する。ステップＳ４１５において、受託の意思があると判定されなかった場合、本実施形態に係る処理は終了する。一方、受託の意思があると判定された場合、自動運転が開始される（Ｓ４１９）。自動運転が開始された後、車両１０７は、走行経路データに基づいて走行経路を走行する（Ｓ４２１）。また、情報処理装置２００は、走行状況データの取得を開始する（Ｓ４２３）。
【００７９】
続いて、図８Ｂに示すように、依頼の達成に必要な走行経路の走行が終了し（Ｓ４２５）、取得された走行状況データがサーバ１０３へ送信される（Ｓ４２７）。その後、走行状況データの送信が完了する（Ｓ４２９）。
【００８０】
サーバ１０３は走行状況データを受信し（Ｓ４３１）、さらに走行状況データを依頼者側情報処理装置１０９へ送信する（Ｓ４３３）。依頼者１０１は、依頼の達成結果の情報を確認し、達成結果に応じた報酬を支払う（Ｓ４３５）。報酬の支払は、依頼者側情報処理装置１０９から報酬に関する報酬データが情報処理装置２００へ送信されることで行われる。受託者１０５は、依頼に対する報酬の情報について確認する（Ｓ４３７）。以上、本実施形態に係る車両の走行状況データ収集システム１００の動作例について説明した。
【００８１】
本実施形態によれば、受託者１０５の受託条件は、受託者１０５により設定された、自動運転機能を有する車両１０７の自動走行条件を含む。これにより、受託者１０５は、依頼の選択に労力や時間を要せずに、自らの希望や条件に沿った依頼を受託することが可能になる。この結果、依頼者１０１の希望に沿った走行状況データが確実に収集される。
【００８２】
さらに、本実施形態によれば、車両１０７の自動運転機能を利用して、走行状況データが取得される。これにより、人間による運転の場合よりも、さらに高精度な走行状況データが収集される。
【００８３】
なお、本実施形態において、サーバ１０３が変更後の走行経路データを算出したが、本発明はこれに限定されない。例えば、情報処理装置２００が、受信した依頼データに基づいて変更後の走行経路データを算出してもよい。
【００８４】
＜５．第５の実施形態＞
次に、図９Ａおよび図９Ｂを参照して、第５の実施形態に係る車両の走行状況データ収集システム１００の動作例について説明する。図９Ａおよび図９Ｂは、本施形態に係る車両の走行状況データ収集システム１００の動作例を示すシーケンス図である。本実施形態に係る車両の走行状況データ収集システム１００は、受託者１０５の受託条件に運転者の属性が含まれる点で、他の実施形態と相違する。なお、本実施形態に係るデータ収集システム１００の内、他の実施形態と共通する部分については、説明を省略する。
【００８５】
図９Ａに示すように、まず依頼者１０１は、依頼者側情報処理装置１０９を利用して、依頼データをサーバ１０３に送信する（Ｓ５０１）。サーバ１０３は、依頼者側情報処理装置１０９から受信した依頼データを記憶する（Ｓ５０３）。続いて、サーバ１０３は、各依頼データについて依頼を達成するのに必要な運転者の属性の情報を算出する（Ｓ５０５）。
【００８６】
受託者１０５は、運転者の属性を設定する（Ｓ５０７）。運転者の属性には、運転者の運転技能に関する情報が含まれる。運転技能に関する情報としては、例えば、自動車運転免許の種類、取得後の経過年数、運転技能の評価結果が挙げられる。
【００８７】
さらに受託者１０５は、目的地、走行経路の設定を行う（Ｓ５０９）。情報処理装置２００は、ステップＳ５０７で入力された運転者の属性の情報と、ステップＳ５０９で設定された情報とをサーバ１０３へ送信する（Ｓ５１１）。サーバ１０３は、ステップＳ５０７で設定された運転者の属性の情報と、ステップＳ５０５で算出された運転者の属性の情報との適合を確認する（Ｓ５１３）。
【００８８】
ステップＳ５１３における、適合の判定に際し、例えば、免許取得年数に関する運転者の属性の場合、運転者の免許取得経過年数が、依頼データに基づいて算出された、運転者に求められる免許取得経過年数以上となっていることが判定される。また、その他の例として、ステップＳ５１３における判定に際し、運転者の技能評価が、依頼データに基づいて算出された、運転者に求められる運転技能評価以上となっていることが判定される。
【００８９】
その他の運転者の属性として、総走行距離、年齢、性別、または依頼の走行経路の走行履歴の有無等も同様に、依頼者１０１により設定された運転者の属性との適合が判定されてもよい。また、運転者の運転技能の評価は、自ら行った結果でもよいし、同乗者による評価結果でもよい。また、運転技能の評価は、過去の走行履歴から判定されてもよい。
【００９０】
図９Ａ、図９Ｂに示した本実施形態に係るステップＳ５１７以降の処理は、図８ＡのステップＳ４１３以降の処理と同様であるので、説明を省略する。以上、本実施形態に係る車両の走行状況データ収集システム１００の動作例について説明した。
【００９１】
本実施形態によれば、受託者１０５の受託条件は、運転者の属性を含む。これにより、受託者１０５は、依頼の選択に労力や時間を要せずに、自らの運転技能に見合った依頼を受託することが可能になる。この結果、依頼者１０１の希望に沿った走行状況データが収集される確実性が向上する。
【００９２】
なお、本実施形態において、運転者の属性は、サーバ１０３により依頼の内容に基づいて算出されるとしたが、例えば、依頼者１０１によって、依頼に必要な運転者の属性が設定されてもよい。例えば、依頼者１０１が、運転初心者等の運転技能の低い運転者、あるいは、運転技能の高い運転者による走行状況データの収集を希望する場合、あらかじめ依頼データとして、受託者１０５の属性を合わせて設定する。
【００９３】
また、本実施形態において、受託者１０５により運転者の属性の情報が入力されるとしたが、情報処理装置２００またはサーバ１０３に事前に登録された運転者の登録情報と連携することにより、運転者の属性の情報が自動的に設定されてもよい。
【００９４】
また、本実施形態において、依頼の達成結果の情報に応じて、運転者の属性における技能評価、走行履歴の情報等が、サーバ１０３または情報処理装置２００に自動的に記録、更新されてもよい。
【００９５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９６】
特に、上記実施形態において説明したシーケンス図における処理は一部のステップが省略されてもよいし、追加的なステップが含まれてもよい。さらに、複数のステップが同時に処理されてもよく、また、図示された順番で実行されなくてもよい。
【符号の説明】
【００９７】
１００    車両の走行状況データ収集システム
１０１    依頼者
１０３    サーバ
１０５    受託者
１０７    車両
１０９    依頼者側情報処理装置
２００    情報処理装置
２１０    制御部
２１１    データ取得部
２２０    通信部
【図１】
2020160673.tif 000003
【図２】
2020160673.tif 000004
【図３】
2020160673.tif 000005
【図４】
2020160673.tif 000006
【図５】
2020160673.tif 000007
【図６】
2020160673.tif 000008
【図７】
2020160673.tif 000009
【図８Ａ】
2020160673.tif 000010
【図８Ｂ】
2020160673.tif 000011
【図９Ａ】
2020160673.tif 000012
【図９Ｂ】
2020160673.tif 000013